(57)【要約】【課題】  複数のＰＣを接続して、マルチ画面表示を行い、発表者が主に使用するＰＣでアノテーションをしながら、プレゼンテーションを行う場合において、  （１）発表者の用いる１台のＰＣで、複数の画面上でのアノテーションが可能とする。  （２）発表者の用いる１台のＰＣで複数の画面の拡大、移動等の表示制御が可能とする。【解決手段】  少なくとも第一の画像情報と第二の画像情報からなる複数の画像情報を入力しマルチ画面表示を行う表示装置において、前記第一の画像情報内の予め決められた第一のサブ画像情報を検出する手段と、前記第一の画像情報内の予め決められた第二のサブ画像情報を検出する手段と、前記第一のサブ画像情報により、前記第一の画像情報と前記第二の画像情報を切り替えて表示する選択手段と、前記第二のサブ画像情報により、前記複数の画像情報のうちの第二の画像情報の表示様態を制御する制御手段を備える。【選択図】  図１
2006201459.tif 000002
【特許請求の範囲】
【請求項１】
少なくとも第一の画像情報と第二の画像情報からなる複数の画像情報を入力しマルチ画面表示を行う表示装置において、
前記第一の画像情報内の予め決められた第一のサブ画像情報を検出する手段と、
前記第一の画像情報内の予め決められた第二のサブ画像情報を検出する手段と、
前記第一のサブ画像情報により、前記第一の画像情報と前記第二の画像情報を切り替えて表示する選択手段と、
前記第二のサブ画像情報により、前記複数の画像情報のうちの第二の画像情報の表示様態を制御する制御手段を備えることを特徴とする画像表示装置。
【請求項２】
少なくとも第一の画像情報と第二の画像情報からなる複数の画像情報を入力しマルチ画面表示を行う表示装置の表示方法において、
前記第一の画像情報内の予め決められた第一のサブ画像情報を検出する工程と、
前記第一の画像情報内の予め決められた第二のサブ画像情報を検出する工程と、
前記第一のサブ画像情報により、前記第一の画像情報と前記第二の画像情報を切り替えて表示する選択工程と、
前記第二のサブ画像情報により、前記複数の画像情報のうちの第二の画像情報の表示様態を制御する制御工程を備えることを特徴とする画像表示装置の表示方法。
【発明の詳細な説明】
【技術分野】
【０００１】
本発明は、表示装置に関する。
【０００２】
特に、複数の装置を接続して、マルチ画面表示を行う表示装置に関するものである。
【背景技術】
【０００３】
近年、ＰＣ（パーソナルコンピューター）の普及に伴い、ＰＣから出力された画像を表示するためのプレゼンテーション装置としてのプロジェクターやＰＤＰ等の大型ディスプレイの使用が増加してきた。そして、プレゼンテーションの際に、プレゼンテーション画像に対して、アノテーション等を行い、プレゼンテーションの効果を高める方法が用いられている。アノテーションを行う方法としては、接続されるＰＣ上に起動したソフトウエアにて行う方法がある。
【０００４】
また、会議等で複数のＰＣの出力を表示装置に入力し、各々のＰＣの出力をマルチ画面表示しながら会議を行う機会も多く、複数入力のマルチ画面に対応した表示装置が開発されている。
【０００５】
又、別の従来例としては、特許文献１をあげることが出来る。
【特許文献１】特開平１０−１７１５９０号公報
【発明の開示】
【発明が解決しようとする課題】
【０００６】
しかしながら、複数のＰＣを接続して、マルチ画面表示を行い、アノテーションをしながら、プレゼンテーションを行う場合には、
（１）発表者の用いる１台のＰＣで、複数の画面上でのアノテーションができない。
【０００７】
（２）発表者の用いる１台のＰＣで複数の画面の拡大、移動等の表示制御ができない。
という問題があった。
【０００８】
つまり、複数のＰＣの画面をマルチ画面表示して、プレゼンテーションを行う場合においても、発表者が主に使用するＰＣでアノテーションや表示装置の制御を行いたいという要求を満たすことができなかった。
【課題を解決するための手段】
【０００９】
本発明の画像表示装置は、少なくとも第一の画像情報と第二の画像情報からなる複数の画像情報を入力しマルチ画面表示を行う表示装置において、前記第一の画像情報内の予め決められた第一のサブ画像情報を検出する手段と、前記第一の画像情報内の予め決められた第二のサブ画像情報を検出する手段と、前記第一のサブ画像情報により、前記第一の画像情報と前記第二の画像情報を切り替えて表示する選択手段と、前記第二のサブ画像情報により、前記複数の画像情報のうちの第二の画像情報の表示様態を制御する制御手段を備えることを特徴とする。
【発明の効果】
【００１０】
本発明によれば、複数のＰＣを接続して、マルチ画面表示を行い、発表者が主に使用するＰＣでアノテーションをしながら、プレゼンテーションを行う場合において、
（１）発表者の用いる１台のＰＣで、複数の画面上でのアノテーションが可能となった。
【００１１】
（２）１台のＰＣで複数の画面の拡大、移動等の表示制御が可能となった。
【００１２】
以上により、複数のＰＣの画面をマルチ画面表示して、プレゼンテーションを行う場合においても、発表者が主に使用するＰＣでアノテーションや表示装置の制御を行いたいという要求を満たすことができた。
【００１３】
以上のように、マルチ画面表示におけるアノテーションや画面の拡大縮小移動などのプレゼンテーション時の操作性を向上した表示装置を提供することが可能となった。
【００１４】
また、本発明によれば、表示装置の制御に画像信号のみを用いるため、画像信号ライン以外の制御用ライン等の接続が必要なく、設置の負荷や他の制御ラインを使用した場合に必要となるＩ／Ｆ回路や接続用のラインのコストを削減できると共に、ＴＶ会議等で遠隔地より会議に参加したＰＣ等でも、画像信号だけを送ることにより表示装置の制御が可能となる。
【００１５】
また、本発明によれば、表示装置内でマルチ画面を実現するため、１台のＰＣでマルチ画面を構成する場合に比べて、ＰＣの負荷が少なく、画像の劣化も少ないという効果もある。
【００１６】
また、本発明によれば、制御画像位置指定画像を用いることにより、予め制御画像の位置を表示装置に設定する必要がないため、会議開始時などに予め設定する必要がなくなり会議効率が向上し便利であるうえに、制御画像の位置をＰＣからの画像により自由に動かすこともできるため、表示画面上の邪魔にならない場所に随時移動できるため、プレゼンテーションの視認性が向上する等の利点がある。
【発明を実施するための最良の形態】
【００１７】
（実施例１）
本発明では、図１に示す画像表示装置１００を開発した。
【００１８】
画像表示装置１００において、符号１０１および符号１０２はＰＣ（パソコン）入力端子を示し、符号３は映像信号入力部を示す。また、符号１０３および符号１０４はＡ／Ｄコンバータを示し、符号１０５および符号１０６はＤＳＰ部を示し、符号１０７および符号１０８は解像度変換部を示し、符号１０９および符号１１０は現状の表示データと次のフレームで表示するデータ等を保持するメモリを示し、符号１１６はタイミング発生回路を示し、符号１１４はＤＡコンバータを示し、符号１１５は各液晶パネルに印加する信号と電源を供給するドライバ回路を示す。符号２Ｒ、２Ｇ、２Ｂは、ドライバ回路１１５の出力信号を入力し表示を行う液晶表示装置である。
【００１９】
また、符号１１１はキー色検出部であり、符号１１２は制御画像検出部である。
【００２０】
またさらに、符号１２７は、ランプ１に接続されるランプ用の電源であるバラストを示し、符号１２５はシステム電源、符号１２４はＡＣインレットを示す。
【００２１】
また、符号１２２は、本表示装置の種々の操作を行うためのリモコン、符号１２３は、そのリモコンの信号を受信する制御パネルを示す。
【００２２】
さらに、符号１２０はメニュー表示ＳＷを示し、符号１２１はメニューＳＷ検出部を示し、メニューＳＷ１２０の動作を検出する。
【００２３】
さらに、符号１１７はＣＰＵを示し、符号１１８はＲＯＭ、符号１１９はＲＡＭを示す。このＣＰＵ１１７は、上述した映像信号入力部３や制御パネル１２３やバラスト１２７やメニューＳＷ検出部１２１等に接続されており、液晶パネル２Ｒ，２Ｇ，２Ｂやランプ１等の駆動制御や表示画像の拡大・縮小や移動を行うための映像信号入力部３の制御を行う。
【００２４】
本実施例では、メニューＳＷ検出部１２１、映像信号入力部３、キー検出部１１１、制御画像検出部１１２等はＣＰＵ１１７に接続されるものとして説明したが、ＣＰＵに内蔵したり、プログラムにより実行するように構成してもよい。
【００２５】
ここで、本ブロック図には、アナログ入力信号のみ記載されているが、それに限らず、ＬＶＤＳ、ＴＭＤＳ等の入力端子や、デジタルＴＶ用Ｄ３端子等を設けても有効であることは言うまでもない。また、ＮＴＳＣ等のテレビ映像信号入力端子を設けても良い。
【００２６】
また、符号３００はＰＣ（パーソナルコンピューター）であり、ＣＰＵ３０１、ＨＤ（ハードディスク）３０２、ＲＡＭ３０３、ＲＯＭ３０４、ビデオメモリ３０５、グラフィックコントローラ３０６、マウスＩ／Ｆ３０７、ＵＳＢ  Ｉ／Ｆ  ３０８、出力画像制御部３１５、等からなり、映像出力端子３０９、ＵＳＢ入力端子３１０、マウス入力端子３１１を備えている、符号３１２はマウスであり、マウス入力端子３１２に接続されている。符号３１３はタブレットであり符号３１４はタブレット用のペンである。タブレット３１３はＵＳＢ端子３１０に接続されている。また、符号４００はＰＣ３００と同様な構成をもつＰＣである。
【００２７】
以下、本発明の作用について詳細に説明する。
【００２８】
入力端子１０１にはＰＣ３００が接続されており、ＰＣ３００より出力された画像は入力端子１０１より表示装置１００に入力される。また、入力端子１０２にはＰＣ４００が接続されており、ＰＣ４００より出力された画像は入力端子１０２より表示装置１００に入力される。
【００２９】
入力端子１０１および入力端子１０２より入力した画像信号は、各々、Ａ／Ｄ変換器１０３および１０４によりサンプリングされディジタル信号に変換され、ＤＳＰ１０５および１０６にてコントラスト、ブライト、ガンマ変換、色変換などの信号処理が行われる。解像度変換部１０７および１０８では、入力画像の解像度を表示デバイスに表示をおこなうサイズに合わせて、拡大・縮小等の処理を行う。キー色検出部１１１では、入力端子１０１より入力した画像内のキー色を検出し、キー色を検出すると、ＬＣＤへの出力画像を入力端子１０１の入力画像から入力端子１０２から入力される画像に選択部１１３により切り替える。
【００３０】
また、制御画像検出部１１２は、入力端子１０１より入力される信号の同期信号ＨＤ、ＶＤを基準として、画面内の制御画像の位置を検出し、制御画像の値を取り込む。
【００３１】
入力端子１０１より入力した画像内の制御用の画像を検出し、制御用の画像を検出すると、その検出した内容に基づいて、入力端子１０２より入力される画像の表示方法を制御する。また、ディスプレイ１００の機能を制御することも可能である。
【００３２】
ＰＣ３００では、ＨＤ３０２に記憶されたプログラムを起動し、グラフィックコントローラー３０６により出力画像を作成し、出力端子３０９より出力する。出力画像制御部３１５では、入力切換用のキー色の制御画像や拡大等の制御画像の制御色と同じ色が、それらの制御画像以外の表示画像に含まれないように制御を行う。
【００３３】
図２は、ＰＣ３００より出力され表示装置に入力される画像の例である。２０１は、画像全体を示し、キー色の青色（Ｒ，Ｇ，Ｂ）＝（０，０，２５５）で矩形２０２が表示されている。この矩形部分に、入力端子１０２より入力された画像がはめ込まれる。２０３は、ＰＣ３００のアノテーション機能を用いて、キー色の矩形２０２内に、マウス３１２およびタッチパッド３１３を用いて入力したＣａｒという文字と矢印である。２０４は、矩形領域２０２外にアノテーションしたＡＢＣという文字である。ここで、アノテーションはキー色とは異なる色で行われる。
【００３４】
２０５は制御用の画像であり、拡大制御、移動制御、ブライト制御、コントラスト制御用の４個の画像からなる。
【００３５】
図３は、入力端子１０２より入力されるＰＣ４００より出力された画像３０１であり、車３０２の画像が表示されている。
【００３６】
図４は、上記処理フローを説明するフローチャートである。
【００３７】
入力端子１０１より入力したＰＣ３００の画像情報は、キー色検出部１１１にて入力画素の各々の値を検出し（Ｓ４０１）、キー色であるか否か判断する（Ｓ４０２）。キー色であれば、入力端子１０１からの画像信号を選択出力するように画像切換部１１３を制御する（Ｓ４０３）。キー色でなければ、入力端子１０２からの画像信号を選択出力するように画像切換部１１３を制御する（Ｓ４０４）。
【００３８】
以上により、ＰＣ３００の画像（図２）とＰＣ４００の画像（図３）を合成した画像が図５である。キー色の矩形領域２０２内においては、キー色の部分はＰＣ４００の画像が表示され、キー色以外の色で入力されたアノテーションの部分２０３は、ＰＣ３００の画像が選択されるため、図５のように、ＰＣ３００の画像内に合成されたＰＣ４００の画像の上に、ＰＣ３００によるアノテーション（Ｃａｒという文字と矢印）が可能となった。
【００３９】
ここで、ＰＣ４００より出力された画像は、入力端子１０２より入力し、解像度変換部１０８にて、解像度及び水平周波数及び垂直周波数が変換され、ＰＣ３００で指示されたキー色の枠に適合するように調整される。
【００４０】
次に、入力端子１０２より入力されるＰＣ４００の画像をＰＣ３００の画像内の制御画像により、拡大制御を行う方法について説明する。
【００４１】
図６は、図２の制御画像２０５の詳細を示す図である。２０５−１、２０５−２、２０５−３、２０５−４は、各々、拡大制御、移動制御、ブライト制御、コントラスト制御用の画像である。
【００４２】
ここで、制御画像２０５−１は、拡大率の制御をおこなうための制御画像である。本例では、Ｒ信号により拡大率の制御を行い、画像データ（Ｒ，Ｇ，Ｂ）のＲの値が０〜２５５に変化するに従い拡大・縮小率を制御する。ここでは、値が９９の場合を１００％表示とし、値が１増減する毎に拡大率は２％ステップで増減する。従って、１〜５１２％の表示を制御できる。
【００４３】
まず最初に、予め制御画像位置の設定をする（Ｓ７０１）。制御画像位置の設定は、メニュー表示ＳＷ１２０により表示装置のメニューを表示し制御画像位置設定メニューを選択して行う。本例では、図６に示すように、拡大制御画像２０５−１の中心座標を（Ｘ１，Ｙ１）、パン制御画像２０５−２の中心座標を（Ｘ２，Ｙ２）、ブライト制御画像２０５−３の中心座標を（Ｘ３，Ｙ３）、コントラスト制御画像２０５−４の中心座標を（Ｘ４、Ｙ４）とした。
【００４４】
次に、ＰＣ３００より入力される画像により表示装置１００の制御を行う場合には、リモコン１２２により制御パネル１２３に対して指示を行い、表示モードを通常モードから制御画像モードに変更する（Ｓ７０２）。制御画像モードにすると（Ｓ７０３）、ＣＰＵよりキー検出部１１１および制御画像検出部１１２およびセレクタ部１１３に対してイネーブル信号が送られる（Ｓ７０４）。次に、ＰＣ３００より入力される画像の各々の画素の位置を同期信号を基準としてカウントし（Ｓ７０５）、拡大制御画像位置（Ｘ１，Ｙ１）になると（Ｓ７０６）、拡大制御画像位置（Ｘ１，Ｙ１）の信号を制御画像検出部１１２にて検出する（Ｓ７０７）。検出した値をもとに拡大率をＣＰＵ１１７にて演算し、演算結果である拡大率を入力端子１０２に接続された解像度変換部１０８に設定する（Ｓ７０８）。
【００４５】
以上により、入力端子１０１より入力された制御画像２０５−１により、入力端子１０２より入力された画像の拡大表示が可能となる。図８は、拡大制御画像２０５−１の中心座標（Ｘ１，Ｙ１）の画像データが（Ｒ，Ｇ，Ｂ）＝（１９９，０，０）の場合の表示例であり、入力端子１０２より入力した画像が２倍に拡大され表示される。
【００４６】
また、移動（パン）、ブライト、コントラスト等の制御も、拡大制御と同様な方法で、制御画像２０５−２、２０５−３、２０５−４を各々制御し、制御画像検出部１１２にて制御画像の値を検出し、ＣＰＵ１１７が制御画像の内容に応じて解像度変換部１０８やＤＳＰ１０６へ指示をすることにより実現される。
【００４７】
本実施例では、制御画像の中心座標の画像の値を用いて制御を行うとして説明したが、画像信号にノイズの影響がある場合は、制御画像内の複数画素を平均化する等のフィルタ処理を行いノイズの影響を除去することも可能である。また、ノイズの影響が少ない場合は、制御画像の大きさを小さくすることが可能であり、理想的には一画素の制御画像でも制御可能である。また、矩形画像でなく、１ラインでもよいし、画面内のデザインは自由に設定することが可能である。
【００４８】
本発明によれば、複数のＰＣを接続して、マルチ画面表示を行い、発表者が主に使用するＰＣでアノテーションをしながら、プレゼンテーションを行う場合において、
（１）１台のＰＣで、複数の画面上でのアノテーションが可能となった。
【００４９】
（２）１台のＰＣで複数の画面の拡大、移動等の表示制御が可能となった。
【００５０】
以上により、複数のＰＣの画面をマルチ画面表示して、プレゼンテーションを行う場合においても、発表者が主に使用するＰＣでアノテーションや表示装置の制御を行いたいという要求を満たすことができた。
【００５１】
以上のように、マルチ画面表示におけるアノテーションや画面の拡大縮小移動などのプレゼンテーション時の操作による操作性を向上した表示装置を提供することが可能となった。
【００５２】
また、本発明によれば、表示装置の制御に画像信号のみを用いるため、画像信号ライン以外の制御用ライン等の接続が必要なく、設置の負荷や他の制御ラインを使用した場合に必要となるＩ／Ｆ回路や接続用のラインのコストを削減できると共に、ＴＶ会議等で遠隔地より会議に参加したＰＣ等でも、画像信号だけを送ることにより表示装置の制御が可能となる。
【００５３】
また、本発明によれば、表示装置内でマルチ画面を実現するため、１台のＰＣでマルチ画面を構成する場合に比べて、ＰＣの負荷が少なく、画像の劣化も少ないという効果もある。
【００５４】
なお、図７は第一の実施例のフローチャートである。
【００５５】
（実施例２）
実施例１では、制御画像の位置を予め表示装置に設定してから制御を行う例について説明したが、本発明では制御画像の位置を予め設定することなく、自動的に検出できる方法について説明する。
【００５６】
図９は、本実施例による制御画像の例である。６００−１は拡大制御画像、６００−２は移動制御画像、６００−３はブライト制御画像、６００−４はコントラスト制御画像である。また、６０１−１、６０１−２、６０１−３，６０１−４は、各々、拡大および移動およびブライトおよびコントラストの制御画像位置指定画像であり、各制御画像６００−１、６００−２、６００−３、６００−４の各々の左側に配置されている。
【００５７】
ここで、各々の制御画像位置指定画像の色は、拡大制御画像位置指定画像６０１−１は（Ｒ，Ｇ，Ｂ）＝（６１，６１，６１）、移動制御画像位置指定画像６００−２は（Ｒ，Ｇ，Ｂ）＝（６２，６２，６２）、ブライト制御画像位置指定画像６００−３は（Ｒ，Ｇ，Ｂ）＝（６３，６３，６３）コントラスト制御画像６０１−４は、（Ｒ，Ｇ，Ｂ）＝（６４，６４，６４）で各々４画素の幅があるものとして決められている。
【００５８】
入力端子１０１より入力される画像は制御画像検出部１１２において常に制御画像位置指定画像であるか否かを検出している。
【００５９】
図１０のフローチャートを用いて、制御フローを詳細に説明する。
【００６０】
Ｋ１、Ｋ２、Ｋ３、Ｋ４は制御画像位置指定画像が何画素連続したかをカウントするための係数であり、Ｋ１は拡大制御用係数、Ｋ２は移動制御用係数、Ｋ３はブライト制御用係数、Ｋ４はコントラスト制御用係数である。最初に、初期値は、Ｋ１＝Ｋ２＝Ｋ３＝Ｋ４＝０に設定される（Ｓ１）。次に、入力端子１０１より画像が入力されると、制御画像検出部１１２において、１画素毎に値を検出する（Ｓ２）。（Ｒ，Ｇ，Ｂ）＝（６１，６１，６１）であるか確認し（Ｓ３）、（６１，６１，６１）であれば、係数Ｋ１を＋１する（Ｓ４）。次に、Ｋ１＝３であるかを確認し（Ｓ５）、Ｙｅｓであれば、制御画像位置指定画像が４画素連続したので、次の画素の値を拡大率用の制御値として獲得する（Ｓ６）。獲得した拡大率用の制御値に応じて、解像度変換部１０８の拡大率を設定し（Ｓ７）、Ｋ１＝０にリセットし（Ｓ８）、Ｓ２  へ戻る。以上により、拡大率の制御が可能となる。Ｓ３において、（６１，６１，６１）でなければ、Ｋ１＝０とし（Ｓ９）、他の制御位置指定画像でないか確認し、同様の処理を行う。
【００６１】
以上の方法により、拡大制御画像６００−１のデータを（Ｒ，Ｇ，Ｂ）＝（１９９，０，０）とすると、ＰＣ４００より入力した画像は２倍に拡大されてＰＣ３００より入力した画像と合成され、図８のようになる。また、同様の方法で、移動制御画像６００−２を用いて、ＰＣ４００から入力した画像を移動することも可能であり、図１１は、２倍に拡大後、左に移動した画像である。
【００６２】
本実施例では、制御画像位置指定画像は色情報で示すものとして説明したが、特定のパターンで示すようにしてもよい。白黒パターンの繰り返しパターンやバーコードのような複雑なパターンも有効である。
【００６３】
本実施例によれば、予め制御画像の位置を表示装置に設定する必要がないため、会議開始時などに予め設定する必要がなくなり会議効率が向上し便利である。
【００６４】
また、制御画像の位置を自由に動かすことができるため、表示画面上の邪魔にならない場所に随時移動できるため、プレゼンテーションの視認性が向上する等の利点がある。
【００６５】
本実施例では、拡大等の制御画像の位置指定について説明したが、第一の実施例で述べたキー画像による制御にも同様に本実施例による制御画像の位置指定を行っても良い。この場合、はめ込み画像の位置を１台のＰＣから自由に移動が可能となり、プレゼンテーション効果が向上する。
【００６６】
（実施例３）
本発明では、図１２に示す背面投射型表示装置１２００を開発した。投射型表示エンジンＤ１から投射された画像を反射ミラー１２０１にて反射し、スクリーン６の背面から投射する。１２０はメニュー表示スイッチであり、メニュー表示のＯＮ／ＯＦＦ用のスイッチである。
【００６７】
投射型表示エンジンＤ１の実施形態を図１３に示す。
【００６８】
投射型表示エンジンＤ１は、光変調素子として、Ｒ、Ｇ、Ｂ各色表示対応の３枚の液晶パネル２Ｒ，２Ｇ，２Ｂを用い、これら３枚の液晶パネル２Ｒ，２Ｇ，２Ｂはクロスプリズム７に対向する位置に配置した。なお、本実施例においては、液晶パネル２Ｒ，２Ｇ，２Ｂとして、ＴＦＴを用いて駆動するＴＮ液晶パネルを用いた。また、各液晶パネル２Ｒ，２Ｇ，２Ｂを挟み込むように、その両側には偏光板８をそれぞれ配置し、クロスプリズム７の光出射側には投射レンズ９やスクリーン（被投射部材）６を配置した。
【００６９】
一方、ランプ（光源）１を囲むように放物型のリフレクタ１０を配置し、ランプ１からの出射光が平行光束に変換されるようにした。なお、このリフレクタ１０は放物型でなくても、楕円型とし集光光束へ変換するようにしても良い。また、ランプ１には、メタルハライドランプやキセノンランプなどを用いることができる。
【００７０】
また、はえの目インテグレータ４０，４１は、ランプ１から出射された光の光路上に配置し、液晶パネル２Ｒ，２Ｇ，２Ｂと共役な関係となるように配置し、光源の不均一性を改善した。
【００７１】
そして、はえの目インテグレータ４０，４１の光出射側には、順に、リレーレンズ１１やミラー１２を配置した。さらに、２枚のダイクロミラー１３，１４を配置して、ランプ１からの出射光を３つに分岐させ、リレーレンズ１５やミラー１６，１７，１８を配置して各液晶パネル２Ｒ，２Ｇ，２Ｂに導くようにした。なお、符号１９はフィールドレンズを示す。
【００７２】
ところで、上述した液晶パネル２Ｒ，２Ｇ，２Ｂには、図１に示すように映像信号入力手段３等を接続した。入力信号処理手段３に本発明の処理を行うことにより本発明によるカラーキーによるマルチ画面表示や表示様態の制御が可能となる。
【００７３】
本実施例では、背面投射型表示装置の例について示したが、表示装置であれば何れのものでも応用が可能であり、例えば、ＰＤＰ、ＬＣＤ、ＣＲＴ、フロントプロジェクタ等の表示装置でも実施可能である。
【図面の簡単な説明】
【００７４】
【図１】本発明による画像表示装置のブロック図
【図２】第一および第二の実施例の入力画像例
【図３】第一および第二の実施例の入力画像例
【図４】第一の実施例のフローチャート
【図５】第一の実施例の出力画像例
【図６】第一の実施例の制御画像例
【図７】第一の実施例のフローチャート
【図８】第一および第二の実施例の出力画像例
【図９】第二に実施例による制御画像例
【図１０】第二の実施例のフローチャート
【図１１】第二の実施例の出力画像例
【図１２】第三の実施例による背面投射型表示装置
【図１３】第三の実施例による投射型表示エンジン
【符号の説明】
【００７５】
１００  画像表示装置
３００  ＰＣ
４００  ＰＣ
３  入力信号処理部
１１１  キー色制御画像検出部
１１２  制御画像検出部
１１３  信号切換部
１１４  Ｄ／Ａ
１１５  パネルドライバ
２  ＬＣＤパネル
【図１】
2006201459.tif 000003
【図２】
2006201459.tif 000004
【図３】
2006201459.tif 000005
【図４】
2006201459.tif 000006
【図５】
2006201459.tif 000007
【図６】
2006201459.tif 000008
【図７】
2006201459.tif 000009
【図８】
2006201459.tif 000010
【図９】
2006201459.tif 000011
【図１０】
2006201459.tif 000012
【図１１】
2006201459.tif 000013
【図１２】
2006201459.tif 000014
【図１３】
2006201459.tif 000015